(57)【要約】【課題】出力物全体のイメージが把握できるようにプレビュー表示を行なう画像形成装置を提供する。【解決手段】ＭＦＰでは、複数の原稿ページからなる原稿のそれぞれの原稿ページを複数の用紙上に配置して画像形成を行なう場合に、表示部４１の表示領域４１０に、対象用紙のプレビュー画像を表示するための第１の領域４１１Ａと、対象用紙の前後の用紙に関する情報を表示するための第２の領域４１２Ａおよび第３の領域４１２Ｂとを設定し、対象用紙の前または後の用紙が複数存在する場合に、第２の領域４１２Ａまたは第３の領域４１２Ｂに複数存在する用紙が重なった状態を表わす画像を表示する。【選択図】図３
2013141110.tif 000002
【特許請求の範囲】
【請求項１】
表示手段と、
画像形成手段と、
前記画像形成手段で原稿を用紙上に配置して画像形成を行なうための、前記原稿の設定を記憶するための記憶手段と、
前記表示手段に、前記用紙をプレビュー表示する処理を実行するための制御手段とを備え、
前記画像形成手段において、複数の原稿ページからなる原稿のそれぞれの原稿ページを複数の用紙上に配置して画像形成を行なう場合に、前記制御手段は、前記表示手段の表示領域に、前記複数の用紙のうちの対象用紙のプレビュー画像を表示するための第１の領域と、前記対象用紙の前後の用紙に関する情報を表示するための第２の領域および第３の領域とを設定し、前記対象用紙の前または後の用紙が複数存在する場合に、前記第２の領域または前記第３の領域に前記複数存在する用紙が重なった状態を表わす画像を表示する、画像形成装置。
【請求項２】
前記対象用紙の表面および裏面それぞれに原稿ページが配置されている場合、前記制御手段は、前記第１の領域において前記対象用紙の表面および裏面それぞれのプレビュー画像を並べて表示する、請求項１に記載の画像形成装置。
【請求項３】
前記複数の用紙のうちの少なくとも１枚に対して表面および裏面それぞれに原稿ページが配置されている場合、前記制御手段は、前記第２の領域および前記第３の領域のうちの一方の領域には表面を上にして用紙が重なった状態を表わす画像、他方の領域には裏面を上にして用紙が重なった状態を表わす画像を表示する、請求項１または２に記載の画像形成装置。
【請求項４】
前記対象用紙が変更されると、前記制御手段は、前記第１の領域に前記変更後の対象用紙のプレビュー画像を表示し、前記第２の領域および前記第３の領域にそれぞれ、前記変更後の対象用紙の前後の用紙の状態を表わす画像を表示するように、それぞれの領域の表示を更新する、請求項１〜３のいずれかに記載の画像形成装置。
【請求項５】
前記表示手段はタッチパネルであって、
前記第１の領域、前記第２の領域、および前記第３の領域は前記複数の原稿ページの配置された順に応じて並んで設定されており、
前記対象用紙の変更は前記タッチパネルである前記表示手段において、前記第１の領域、前記第２の領域、および前記第３の領域の並び順に応じたタッチ位置の移動によって行なわれる、請求項４に記載の画像形成装置。
【請求項６】
前記複数の用紙に、前記複数の原稿ページのうちのいずれの原稿ページも配置されていない用紙が含まれる場合に、前記制御手段は、前記いずれの原稿ページも配置されていない用紙を前記表示領域において原稿ページが配置された用紙の表示とは異なる態様で表示する、請求項１〜５のいずれかに記載の画像形成装置。
【請求項７】
前記表示手段はタッチパネルであって、
前記第１の領域に表示された前記対象用紙のプレビュー画像がタッチされ、タッチ状態を維持したまま他の用紙の状態を表わす画像にタッチ位置が移動した後に前記タッチ状態を解消する操作を受け付けると、前記制御手段は、前記プレビュー画像に対応した原稿ページを前記タッチ状態が解消された位置に表示されていた用紙に配置し、前記タッチ状態が解消された位置に表示されていた用紙に配置されていた原稿ページ以降の原稿ページを、順に移動させるよう配置を変更し、変更後の各原稿ページの配置を前記記憶手段に記憶させる、請求項１〜６のいずれかに記載の画像形成装置。
【請求項８】
前記制御手段は、前記プレビュー画像に対応した原稿ページの移動先として、前記タッチ状態が解消された位置に表示されていた用紙の表面か裏面かを選択するための選択画面を前記表示手段に表示し、前記選択画面での選択に従って前記プレビュー画像に対応した原稿ページの配置を変更する、請求項７に記載の画像形成装置。
【請求項９】
前記対象用紙の表面および裏面それぞれに原稿ページが配置されている場合、前記制御手段は、前記第１の領域において前記対象用紙の表面および裏面それぞれのプレビュー画像を並べて表示し、
前記第１の領域全体に対して前記タッチがなされた場合、前記制御手段は、前記対象用紙の表面および裏面それぞれに配置された原稿ページを、前記プレビュー画像に対応した原稿ページを前記タッチ状態が解消された位置に表示されていた用紙の表面および裏面にそれぞれ配置する、請求項７に記載の画像形成装置。
【請求項１０】
指示入力を受け付けるための入力手段をさらに備え、
前記制御手段は、前記入力手段で受け付けた前記指示入力に従って、前記対象用紙に配置された原稿ページよりも前の原稿ページが配置された用紙の状態を表わす画像と、前記対象用紙に配置された原稿ページよりも後の原稿ページが配置された用紙の状態を表わす画像とを、それぞれ、前前記第２の領域および前記第３の領域のうちのいずれに表示するかを決定する、請求項１〜９のいずれかに記載の画像形成装置。
【請求項１１】
表示手段を備えた画像形成装置に、複数の原稿ページからなる原稿のそれぞれの原稿ページを複数の用紙上に配置して画像形成する場合のプレビュー表示を行なわせるための、前記画像形成装置の制御方法であって、
前記表示手段の表示領域には、前記複数の用紙のうちの対象用紙のプレビュー画像を表示するための第１の領域と、前記対象用紙の前後の用紙に関する情報を表示するための第２の領域および第３の領域とが設定され、
前記対象用紙のプレビュー画像を前記第１の領域に表示するステップと、
前記対象用紙に配置された原稿ページよりも前の原稿ページが配置された用紙の状態を表わす画像を、前記第２の領域に表示するステップと、
前記対象用紙に配置された原稿ページよりも後の原稿ページが配置された用紙の状態を表わす画像を、前記第３の領域に表示するステップとを備え、
前記第２の領域に表示するステップおよび前記第３の領域に表示するステップでは、表示対象の用紙が複数存在する場合に、前記複数の用紙が重なった状態を表わす画像を表示する、画像形成装置の制御方法。
【請求項１２】
表示手段を備えた画像形成装置に含まれるコンピュータに、前記画像形成装置で複数の原稿ページからなる原稿のそれぞれの原稿ページを複数の用紙上に配置して画像形成する場合のプレビュー表示を行なわせるためのプログラムであって、
前記表示手段の表示領域には、前記複数の用紙のうちの対象用紙のプレビュー画像を表示するための第１の領域と、前記対象用紙の前後の用紙に関する情報を表示するための第２の領域および第３の領域とが設定され、
前記対象用紙のプレビュー画像を前記第１の領域に表示するステップと、
前記対象用紙に配置された原稿ページよりも前の原稿ページが配置された用紙の状態を表わす画像を、前記第２の領域に表示するステップと、
前記対象用紙に配置された原稿ページよりも後の原稿ページが配置された用紙の状態を表わす画像を、前記第３の領域に表示するステップとを前記コンピュータに実行させ、
前記第２の領域に表示するステップおよび前記第３の領域に表示するステップでは、表示対象の用紙が複数存在する場合に、前記複数の用紙が重なった状態を表わす画像を表示させる、制御プログラム。
【発明の詳細な説明】
【技術分野】
【０００１】
この発明は画像形成装置、画像形成装置の制御方法、および制御プログラムに関し、特に、プレビュー表示を行なう画像形成装置、画像形成装置の制御方法、および制御プログラムに関する。
【背景技術】
【０００２】
コピー機やプリンターやそれらの複合機であるＭＦＰ（Multi-Functional Peripheral）などの画像形成装置には、出力する前に印刷物等の出力物の状態を確認できるようにプレビュー機能が搭載されたものがある。出力イメージを確認したユーザーはこの機能を利用して、どのような出力状態となるかを確認した上で印刷等の画像形成処理を指示することができる。
【０００３】
ところで、画像形成装置で印刷を行なう場合には、両面印刷設定や、１枚の用紙に複数枚の原稿を印刷させるＮｉｎ１設定など、様々な設定がある。そのため、単に１枚ずつのプレビューを表示したり、複数枚のプレビューを表示したりするだけでは、出力物のイメージがつかみ難い場合もある。
【０００４】
そこで、たとえば特開２０１０−０３４６９１号公報（以下、特許文献１）は、両面印刷設定がなされている場合に、両面印刷の裏表やページ数などを文字やアイコンでプレビュー表示と共に表示する画像形成装置を提案している。
【０００５】
また、特開２００９−２６０６９６号公報（以下、特許文献２）は、複数の原稿のプレビューを、奇数ページ／偶数ページ別、サイズ別、モノクロページ／カラーページ別、などの、複数ページに共通する属性別に表示可能な画像形成装置を提案している。
【先行技術文献】
【特許文献】
【０００６】
【特許文献１】特開２０１０−０３４６９１号公報
【特許文献２】特開２００９−２６０６９６号公報
【発明の概要】
【発明が解決しようとする課題】
【０００７】
しかしながら、これら特許文献に開示されている画像形成装置では、原稿ごとにページ設定に応じて仕上がり状態を確認することは可能であるものの、画像処理対象が複数の原稿群である場合に複数の原稿間の関係を考慮して全体の仕上がり状態が確認し難い、という問題があった。
【０００８】
具体的には、
・たとえば複数枚の原稿を印刷する場合において、２ｉｎ１設定で両面印刷を行なう場合に、１枚の印刷用紙における表裏の原稿の関係がどのようになるのかが上述のようなプレビューでは把握できないため、印刷ミスにつながるおそれがある、
・両面印刷を行なう場合、プレビュー表示からは印刷データー全体のボリュームが分からないため、プレビュー表示されているページが印刷された用紙群のうちのどの位置となるかを把握できない、
・両面印刷を行なう場合、プレビュー表示からは印刷された用紙群を重ねたときの印刷物としてのイメージ（積み上がりイメージ）が分からない、
などという問題があった。
【０００９】
本発明はこのような問題に鑑みてなされたものであって、出力物全体のイメージが把握できるようにプレビュー表示を行なう画像形成装置、当該画像形成装置の制御方法、および制御プログラムを提供することを目的としている。
【課題を解決するための手段】
【００１０】
上記目的を達成するために、本発明のある局面に従うと、画像形成装置は、表示手段と、画像形成手段と、画像形成手段で原稿を用紙上に配置して画像形成を行なうための、原稿の設定を記憶するための記憶手段と、表示手段に、用紙をプレビュー表示する処理を実行するための制御手段とを備える。画像形成手段において、複数の原稿ページからなる原稿のそれぞれの原稿ページを複数の用紙上に配置して画像形成を行なう場合に、制御手段は、表示手段の表示領域に、複数の用紙のうちの対象用紙のプレビュー画像を表示するための第１の領域と、対象用紙の前後の用紙に関する情報を表示するための第２の領域および第３の領域とを設定し、対象用紙の前または後の用紙が複数存在する場合に、第２の領域または第３の領域に複数存在する用紙が重なった状態を表わす画像を表示する。
【００１１】
好ましくは、対象用紙の表面および裏面それぞれに原稿ページが配置されている場合、制御手段は、第１の領域において対象用紙の表面および裏面それぞれのプレビュー画像を並べて表示する。
【００１２】
好ましくは、複数の用紙のうちの少なくとも１枚に対して表面および裏面それぞれに原稿ページが配置されている場合、制御手段は、第２の領域および第３の領域のうちの一方の領域には表面を上にして用紙が重なった状態を表わす画像、他方の領域には裏面を上にして用紙が重なった状態を表わす画像を表示する。
【００１３】
好ましくは、対象用紙が変更されると、制御手段は、第１の領域に変更後の対象用紙のプレビュー画像を表示し、第２の領域および第３の領域にそれぞれ、変更後の対象用紙の前後の用紙の状態を表わす画像を表示するように、それぞれの領域の表示を更新する。
【００１４】
より好ましくは、表示手段はタッチパネルであって、第１の領域、第２の領域、および第３の領域は複数の原稿ページの配置された順に応じて並んで設定されており、対象用紙の変更はタッチパネルである表示手段において、第１の領域、第２の領域、および第３の領域の並び順に応じたタッチ位置の移動によって行なわれる。
【００１５】
好ましくは、複数の用紙に、複数の原稿ページのうちのいずれの原稿ページも配置されていない用紙が含まれる場合に、制御手段は、いずれの原稿ページも配置されていない用紙を表示領域において原稿ページが配置された用紙の表示とは異なる態様で表示する。
【００１６】
好ましくは、表示手段はタッチパネルであって、第１の領域に表示された対象用紙のプレビュー画像がタッチされ、タッチ状態を維持したまま他の用紙の状態を表わす画像にタッチ位置が移動した後にタッチ状態を解消する操作を受け付けると、制御手段は、プレビュー画像に対応した原稿ページをタッチ状態が解消された位置に表示されていた用紙に配置し、タッチ状態が解消された位置に表示されていた用紙に配置されていた原稿ページ以降の原稿ページを、順に移動させるよう配置を変更し、変更後の各原稿ページの配置を記憶手段に記憶させる。
【００１７】
より好ましくは、制御手段は、プレビュー画像に対応した原稿ページの移動先として、タッチ状態が解消された位置に表示されていた用紙の表面か裏面かを選択するための選択画面を表示手段に表示し、選択画面での選択に従ってプレビュー画像に対応した原稿ページの配置を変更する。
【００１８】
または、より好ましくは、対象用紙の表面および裏面それぞれに原稿ページが配置されている場合、制御手段は、第１の領域において対象用紙の表面および裏面それぞれのプレビュー画像を並べて表示し、第１の領域全体に対してタッチがなされた場合、制御手段は、対象用紙の表面および裏面それぞれに配置された原稿ページを、プレビュー画像に対応した原稿ページをタッチ状態が解消された位置に表示されていた用紙の表面および裏面にそれぞれ配置する。
【００１９】
好ましくは、画像形成装置は指示入力を受け付けるための入力手段をさらに備え、制御手段は、入力手段で受け付けた指示入力に従って、対象用紙に配置された原稿ページよりも前の原稿ページが配置された用紙の状態を表わす画像と、対象用紙に配置された原稿ページよりも後の原稿ページが配置された用紙の状態を表わす画像とを、それぞれ、記第２の領域および第３の領域のうちのいずれに表示するかを決定する。
【００２０】
本発明の他の局面に従うと、画像形成装置の制御方法は、表示手段を備えた画像形成装置に、複数の原稿ページからなる原稿のそれぞれの原稿ページを複数の用紙上に配置して画像形成する場合のプレビュー表示を行なわせるための、画像形成装置の制御方法であって、表示手段の表示領域には、複数の用紙のうちの対象用紙のプレビュー画像を表示するための第１の領域と、対象用紙の前後の用紙に関する情報を表示するための第２の領域および第３の領域とが設定され、対象用紙のプレビュー画像を第１の領域に表示するステップと、対象用紙に配置された原稿ページよりも前の原稿ページが配置された用紙の状態を表わす画像を第２の領域に表示するステップと、対象用紙に配置された原稿ページよりも後の原稿ページが配置された用紙の状態を表わす画像を第３の領域に表示するステップとを備える。第２の領域に表示するステップおよび第３の領域に表示するステップでは、表示対象の用紙が複数存在する場合に、複数の用紙が重なった状態を表わす画像を表示する。
【００２１】
本発明のさらに他の局面に従うと、制御プログラムは、表示手段を備えた画像形成装置に含まれるコンピュータに、画像形成装置で複数の原稿ページからなる原稿のそれぞれの原稿ページを複数の用紙上に配置して画像形成する場合のプレビュー表示を行なわせるためのプログラムであって、表示手段の表示領域には、複数の用紙のうちの対象用紙のプレビュー画像を表示するための第１の領域と、対象用紙の前後の用紙に関する情報を表示するための第２の領域および第３の領域とが設定され、対象用紙のプレビュー画像を第１の領域に表示するステップと、対象用紙に配置された原稿ページよりも前の原稿ページが配置された用紙の状態を表わす画像を第２の領域に表示するステップと、対象用紙に配置された原稿ページよりも後の原稿ページが配置された用紙の状態を表わす画像を第３の領域に表示するステップとをコンピュータに実行させる。第２の領域に表示するステップおよび第３の領域に表示するステップでは、表示対象の用紙が複数存在する場合に、複数の用紙が重なった状態を表わす画像を表示させる。
【発明の効果】
【００２２】
この発明によると、出力物全体のイメージが把握できるようなプレビュー表示がなされるため、複数の原稿ページからなる原稿を複数用紙に画像形成する場合に、出力以前に各用紙間での原稿の位置関係などの全体構成を確認することができる。
【図面の簡単な説明】
【００２３】
【図１】この発明の実施の形態に従うＭＦＰにおける概略のハードウェア構成を示す模式図である。
【図２】ＭＦＰの操作パネルの代表的な外観を示す図である。
【図３】ＭＦＰの操作パネルでのプレビュー画面の具体例を示す図である。
【図４】ＭＦＰの操作パネルでのプレビュー画面の具体例を示す図である。
【図５】ＭＦＰの操作パネルでのプレビュー画面の具体例を示す図である。
【図６】ＭＦＰの操作パネルでのプレビュー画面の具体例を示す図である。
【図７】ＭＦＰの操作パネルでのプレビュー画面の具体例を示す図である。
【図８】ＭＦＰの操作パネルでのプレビュー画面の具体例を示す図である。
【図９】プレビュー画面に対するスクロール操作を説明するための図である。
【図１０】プレビュー画面に対するスクロール操作を説明するための図である。
【図１１】プレビュー画面に対する編集操作を説明するための図である。
【図１２】プレビュー画面に対する編集操作を説明するための図である。
【図１３】ＭＦＰの機能構成の具体例を示すブロック図である。
【図１４】ＭＦＰでのプレビュー表示に関する動作の流れを表わすフローチャートである。
【図１５】図１４のＳ０１での、対象用紙プレビュー領域プレビュー表示処理の流れを表わすフローチャートである。
【図１６】図１４のＳ０２での、対象用紙外プレビュー領域プレビュー表示処理の流れを表わすフローチャートである。
【図１７】図１４の＃３での、積み上げ領域プレビュー表示処理の流れを表わすフローチャートである。
【図１８】図１４の＃５での、ページ移動処理の流れを表わすフローチャートである。
【発明を実施するための形態】
【００２４】
以下に、図面を参照しつつ、本発明の実施の形態について説明する。以下の説明では、同一の部品および構成要素には同一の符号を付してある。それらの名称および機能も同じである。
【００２５】
＜装置構成＞
この発明の実施の形態においては、本発明に係る画像処理装置の代表例として、複写機能（モノクロおよび／またはカラー）、プリンター機能、ＦＡＸ送信機能、イメージ読取機能といった複数の機能を搭載した複合機（Multi-Functional Peripheral：以下「ＭＦＰ」とも称す。）について説明する。なお、後述するように、本発明に係る画像処理装置をパーソナルコンピュータなどによって実現してもよい。
【００２６】
図１は、この発明の実施の形態に従うＭＦＰ１における概略のハードウェア構成を示す模式図である。
【００２７】
図１を参照して、ＭＦＰ１は制御部１０を含み、制御部１０には、装置全体を制御するためのＣＰＵ（Central Processing Unit）１０１、制御プログラムを格納するためのＲＯＭ（Read Only Memory）１０２、作業用の記憶領域となるＳ−ＲＡＭ（Static Random Access Memory）１０３、画像形成に関わる各種の設定を記憶するためのバッテリバックアップされたＮＶ−ＲＡＭ（不揮発性メモリ）１０４、および時計ＩＣ（Integrated Circuit：集積回路）１０５が含まれる。
【００２８】
制御部１０には、バスを介して、画像読取装置１２１、各種の入力を行なうためのキーや表示部を備えた操作パネル１４１、図示しないネットワークを介して接続された情報処理装置等の外部の装置との間で各種の情報を送受信するためのネットワークＩ／Ｆ（インターフェース）１８０、該ネットワークＩ／Ｆ１８０により受信したプリントデーターから複写画像を生成するためのプリンターコントローラー１７０、および、複写画像を用紙上に形成するための画像出力装置１５１が接続されている。
【００２９】
また、制御部１０には、固定記憶装置１１０がバスを介して接続されている。固定記憶装置１１０にはたとえばハードディスク装置などが該当する。
【００３０】
図２は、ＭＦＰ１の操作パネル１４１の代表的な外観を示す図である。図２を参照して、操作パネル１４１は、タッチパネル４１と、テンキー、スタートキー、ストップキーなどの操作キー群４２とを含む。タッチパネル４１は、液晶表示装置などの表示装置と光学式タッチパネルや静電容量タッチパネルなどの位置指示装置とが重なって構成され、操作画面を表示して、その操作画面上の指示位置を特定する。ＣＰＵ１０１は予め記憶されている画面表示をさせるためのデーターに基づいてタッチパネルに操作画面を表示させる。
【００３１】
＜動作概要＞
（プレビュー表示）
ＭＦＰ１では、ユーザーより印刷物のプレビュー表示が指示されると、タッチパネル４１の表示領域をプレビュー領域と表積み上げ領域と裏積み上げ領域とに区分して、複数用紙からなる用紙群のプレビュー表示が行なわれる。
【００３２】
図３は、プレビュー画面の具体例を示す図であって、１１枚の用紙のうちの少なくとも１枚に対して両面印刷が設定された場合のプレビュー表示の例を表わしている。ここでは、一例として、１１枚のうちの５枚目のプレビュー表示をさせたときのタッチパネル４１の画面例が表わされており、少なくともこの５枚目の用紙に両面印刷設定がなされている例が示されている。
【００３３】
図３を参照して、プレビュー表示の際には、タッチパネル４１にプレビュー画像を表示するための領域である画像表示エリア４１０が設けられる。画像表示エリア４１０には、中央に配置されたプレビュー領域４１１と、プレビュー領域４１１を挟む両側に配置された積み上げ領域４１２とが設けられる。積み上げ領域４１２は、図３の例ではプレビュー領域４１１の左側に配置された表積み上げ領域４１２Ａとプレビュー領域４１１の右側に配置された裏積み上げ領域４１２Ｂとからなる。
【００３４】
表積み上げ領域４１２Ａには、用紙の先頭（１枚目）からプレビュー表示の対象となる用紙（以下、対象用紙と称する）の２枚前の用紙（３枚目）までの用紙群を表面を上にして重ねた状態のプレビュー画像が表示される。また、裏積み上げ領域４１２Ｂには、用紙の後端（１１枚目）から対象用紙の２枚後の用紙（７枚目）までの用紙群を裏面を上にして重ねた状態のプレビュー画像が表示される。好ましくは、図３に表わされたように、各用紙がずらして重ねたようなプレビュー画像が表示される。このようにすることで、重なった用紙の枚数が把握しやすくなる。
【００３５】
プレビュー領域４１１の中央には、対象用紙をプレビュー表示するための対象用紙プレビュー領域４１１Ａが含まれる。対象用紙プレビュー領域４１１Ａには、対象用紙（５枚目）の表面、裏面それぞれのプレビュー画像が並べて表示される。そして、その両側には、対象用紙の前の用紙（４枚目）の表面および後の用紙（６枚目）の裏面のプレビュー画像がそれぞれ表示される。
【００３６】
図３のように画像表示エリア４１０に各領域が配置され、各領域においてプレビュー画像が表示されることで、複数枚の用紙に両面印刷を行なう場合に、あたかも実際の印刷物を重ねてその中から対象用紙（５枚目）を抜き出してその両面を見、その前後の用紙（４枚目・６枚目）を左から右に向かう方向を並べて片面を見、さらに前後の用紙を左右に重ねた状態で確認するように、全体の印刷イメージや複数用紙の重なり具合を容易に把握することができる。
【００３７】
なお、画像表示エリア４１０での表積み上げ領域４１２Ａおよび裏積み上げ領域４１２Ｂとプレビュー領域４１１との位置関係は図３の例に限定されず、図４に表わされたように、左右が逆であってもよい。すなわち、図４を参照して、裏積み上げ領域４１２Ｂがプレビュー領域４１１の左側、および表積み上げ領域４１２Ａがプレビュー領域４１１の右側に配置されてもよい。この場合、対象用紙プレビュー領域４１１Ａの左側に当該用紙の次の用紙（６枚目）の表面、および対象用紙プレビュー領域４１１Ａの右側に当該用紙の前の用紙（４枚目）の表面のプレビュー画像が表示される。
【００３８】
このようにすることでも、図３の例とは並びを左右逆にした状態で全体の印刷イメージや複数用紙の重なり具合を容易に把握することができる。
【００３９】
図３のような順にするか図４のような順にするかは予め規定されていてもよいし、ユーザーの操作によって決められてもよい。ユーザーの操作によって決められる場合、たとえば設定用の画面を操作パネル１４１に表示し、その画面上での操作を受け付けることで、当該操作に従って決定してもよい。
【００４０】
さらに、用紙を横長にして原稿を配置する場合、図５に表わされたように、対象用紙プレビュー領域４１１Ａにおいて表面および裏面のプレビュー画像を縦に並べて表示するようにしてもよい。
【００４１】
また、後処理として折りが設定されている用紙がある場合、図６に表わされたように、該当する用紙のプレビュー画像を折りが設定されていることが分かる形態で表示するようにしてもよい。図６の例では、用紙の形状を折りの後処理がなされたような形状としたプレビュー画像が表示される例が表わされている。なお、サイズの異なる用紙が含まれている場合も同様にして、サイズが異なることがわかるような形状としたプレビュー画像を表示するようにしてもよい。
【００４２】
また、カバーシートやインターシートなど原稿が配置されていない用紙が含まれる場合、図７に表わされたように、当該用紙の位置に応じて当該用紙を表わすプレビュー画像が表示されてもよい。なお、原稿が配置されていない用紙のプレビュー画像では原稿が表示されないため、白紙として表示してもよいし、図７に表わされているように、カバーシートやインターシートなどを表わすアイコンを用紙に重ねて表示してもよい。
【００４３】
なお、図３〜図７の例はいずれも、複数の用紙のうちの少なくとも１枚に対して両面印刷が設定された場合のプレビュー画像の配置が表わされている。すなわち、この場合、積み上げ領域４１２の一方には表面、他方には裏面を上にして原稿が重なった状態のイメージが表示される。
【００４４】
すべての用紙に対して片面印刷が設定されている場合には、積み上げ領域４１２での表示が異なるものの、他は両面印刷が設定されている場合と同様に配置することができる。図８は１１枚の用紙のすべてに片面（表面）印刷が設定されている場合のプレビュー表示の例を表わしている。図８を参照して、この場合、両側に配置されている積み上げ領域４１２の双方共に表面を上にして重ねられた状態のイメージが表示される。また、対象用紙プレビュー領域４１１Ａには対象用紙の表面のプレビュー画像のみが表示される。
【００４５】
（スクロール操作）
ＭＦＰ１では、図３または図４のプレビュー画面に対してタッチ状態を維持したままタッチ位置をスライドさせる操作（以下、スワイプと称する）を受け付けることで、表示されるプレビュー画像が更新（スクロール）される。
【００４６】
図９および図１０は、プレビュー画面に対するスクロール操作を説明するための図である。
【００４７】
図９を参照して、タッチパネル４１に図３に表わされたようなプレビュー表示がなされている状態において画像表示エリア４１０に対する右から左に向かう方向でのスワイプを受け付けると、画像表示エリア４１０の右側に設けられた裏積み上げ領域４１２Ｂにプレビュー画像が表示された用紙が左側に設けられた表積み上げ領域４１２Ａに移動して、そのプレビュー画像が表積み上げ領域４１２Ａに表示されたプレビュー画像に重ねて表示される。このとき、プレビュー領域４１１には、用紙の移動に伴ってプレビュー画像が後側から前側に順に表示される。これにより、あたかも、右側の裏積み上げ領域４１２Ｂに積まれた用紙を一枚ずつプレビュー領域４１１で表裏展開しながら左側の表積み上げ領域４１２Ａに移動させて表積み上げ領域４１２Ａに積むように、右から左に向かう方向でのスワイプに応じて各用紙のプレビュー画像が後から前の順で表示される。
【００４８】
このとき、スワイプが中断されると、そのときの表示状態が維持される。すなわち、たとえば８枚目の用紙のプレビュー画像が表示された状態でスワイプが中断されると、図５の表示画面がタッチパネル４１に表示される。これにより、確認したい用紙まで、あたかも実際の用紙をめくるようにして順にプレビュー画像を確認することができる。また、連続して表裏のプレビュー画像が表示されることで、原稿画像の用紙上での配置を容易に確認することができる。
【００４９】
そして、最終用紙（左端）までスワイプされることで、図１０に表わされたように、すべての用紙のプレビュー画像が表積み上げ領域４１２Ａに表示される。
【００５０】
なお、スワイプの向きが左右逆のときには、逆に、前の用紙から後の用紙に順にプレビュー画像がスクロールされる。また、プレビュー画面が図４の例の場合には、スワイプ動作とスクロールの方向とが図９、図１０に表わされたものと逆となる。
【００５１】
（編集操作）
ＭＦＰ１では、図３または図４のプレビュー画面に対して対象物に対するタッチ状態を維持したまま目的位置までスライドさせる操作（以下、ドラッグと称する）を受け付けることで、用紙上の原稿ページの配置を変更（移動）する編集がなされる。
【００５２】
図１１および図１２は、プレビュー画面に対する編集操作を説明するための図である。
図１１を参照して、タッチパネル４１に図５に表わされたような対象用紙が８枚目であるプレビュー表示がなされている状態において、対象用紙プレビュー領域４１１Ａに表示された一方のプレビュー画像（８枚目の表面）に対して他のプレビュー画像（７枚目）までのドラッグを受け付けると、ドラッグ先の用紙（７枚目）の表面か裏面かを選択するための選択肢が表示され、さらにその選択（表面）を受け付けることで、ドラッグ対象の用紙に配置されていた原稿ページがドラッグ先の用紙の選択された面に配置される。そして、その配置を表わすプレビュー画像が表示される。
【００５３】
図１１の例では、７枚目の用紙の表面に８枚目の用紙の表面に配置されていた原稿ページが移動する。これに伴って、以降の原稿ページが順にずれる。すなわち、７枚目の用紙の表面に配置されていた原稿ページが７枚目の用紙の裏面に移動し、７枚目の用紙の裏面に配置されていた原稿ページが８枚目の用紙の表面に移動する。
【００５４】
このようにすることで、全体を確認しながら直感的な操作で原稿ページの用紙上での配置を移動させることができる。
【００５５】
なお、対象用紙プレビュー領域４１１Ａ自体に対するドラッグを受け付けることで、対象用紙の表裏面双方に配置された両原稿ページ共にドラッグ先の用紙の位置に移動させてもよい。
【００５６】
すなわち、図１２を参照して、タッチパネル４１に図５に表わされたようなプレビュー表示がなされている状態において、対象用紙プレビュー領域４１１Ａに対して他のプレビュー画像（７枚目）までのドラッグを受け付けると、ドラッグ先の用紙（７枚目）の表面および裏面それぞれに、対象用紙プレビュー領域４１１Ａに表示されていた対象用紙（８枚目）の表面および裏面それぞれに配置されていた原稿ページが配置される。
【００５７】
図１２の例では、７枚目の用紙の表面に８枚目の用紙の表面に配置されていた原稿ページ、７枚目の用紙の裏面に８枚目の用紙の裏面に配置されていた原稿ページが移動する。これに伴って、以降の原稿ページが順にずれる。すなわち、７枚目の用紙の表面に配置されていた原稿ページが８枚目の用紙の表面に移動し、７枚目の用紙の裏面に配置されていた原稿ページが８枚目の用紙の裏面に移動する。
【００５８】
このようにすることでも、全体を確認しながら直感的な操作で原稿ページの用紙上での配置を移動させることができる。
【００５９】
＜機能構成＞
図１３は、上記動作を行なうためのＭＦＰ１の機能構成の具体例を示すブロック図である。図１３に表わされた各機能は、ＣＰＵ１０１がＲＯＭ１０２に記憶される制御プログラムを読み出して実行することによって、主にＣＰＵ１０１上に形成されるものであるが、少なくとも一部が、電気回路等の図１に表わされたようなハードウェアによって実現されてもよい。
【００６０】
図１３を参照して、固定記憶装置１１０には、原稿の印刷設定を記憶するための記憶領域である設定記憶部１１１が設けられる。
【００６１】
さらに図１３を参照して、ＣＰＵ１０１は、操作パネル１４１での操作に応じた操作信号の入力を受け付けるための入力部１１と、操作信号から操作内容や操作対象とされた用紙や移動先などを特定するための特定部１２と、プレビュー表示を指示する操作やプレビュー画面に対するスクロール操作がなされた場合に、対象の用紙のプレビュー表示のための処理を行なうためのプレビュー処理部１３と、プレビュー画面に対する編集操作がなされた場合に、対象の原稿を配置する用紙を移動させる処理を行なうための移動処理部１４とを含む。
【００６２】
移動処理部１４は、編集操作に従って原稿ページの配置を変更し、変更後の各原稿ページの配置を設定記憶部１１１に書き込む。書き込まれた変更後の各原稿ページの配置に基づいて、プレビュー処理部１３はプレビュー処理を行なう。
【００６３】
＜動作概要＞
図１４は、ＭＦＰ１でのプレビュー表示に関する動作の流れを表わすフローチャートである。図１４のフローチャートに表わされる動作は、ＣＰＵ１０１がＲＯＭ１０２に記憶される制御プログラムを読み出して実行し、図１３の各機能を発揮させることによって実現される。
【００６４】
図１４を参照して、ＣＰＵ１０１は、操作パネル１４１においてプレビュー表示の指示を受け付けると（＃１でＹＥＳ）、ＣＰＵ１０１は、プレビュー領域４１１にプレビュー画像を表示する処理であるプレビュー領域プレビュー表示処理（＃２）を実行する。
【００６５】
プレビュー領域プレビュー表示処理には、対象用紙プレビュー領域４１１Ａにプレビュー画像を表示する処理である対象用紙プレビュー領域プレビュー表示処理（Ｓ０１）と、プレビュー領域４１１の対象用紙プレビュー領域４１１Ａではない領域にプレビュー画像を表示する処理である対象用紙外プレビュー領域プレビュー表示処理（Ｓ０２）とが含まれる。
【００６６】
次に、ＣＰＵ１０１は、積み上げ領域４１２にプレビュー画像を表示する処理である積み上げ領域プレビュー表示処理（＃３）を実行する。
【００６７】
その後、プレビュー画面に対してドラッグ操作を受け付けると（＃４でＹＥＳ）、ＣＰＵ１０１はページ移動処理（＃５）を実行する。
【００６８】
図１５は、対象用紙プレビュー領域プレビュー表示処理（Ｓ０１）の流れを表わすフローチャートである。
【００６９】
図１５を参照して、ＣＰＵ１０１は、上記＃１のプレビュー表示の指示の対象となった用紙（以下、対象用紙と称する）を特定し、当該対象用紙に両面印刷が設定されているか否かを判断する（ステップＳ１０１）。
【００７０】
その結果、対象用紙が両面印刷であった場合には（ステップＳ１０１でＹＥＳ）、さらに、当該対象用紙を横長として原稿ページが配置されているか横長として原稿ページが配置されているかを判断する（ステップＳ１０３）。
【００７１】
対象用紙が両面印刷設定されており、かつ縦長に原稿ページが配置されている場合（ステップＳ１０１でＹＥＳ、かつステップＳ１０３でＹＥＳ）、ステップＳ１０５でＣＰＵ１０１は対象用紙の表面および裏面のプレビュー画像のレイアウトを横に並べるレイアウトと決定する。
【００７２】
一方、対象用紙が両面印刷設定されており、かつ横長に原稿ページが配置されている場合（ステップＳ１０１でＹＥＳ、かつステップＳ１０３でＮＯ）、ステップＳ１０７でＣＰＵ１０１は対象用紙の表面および裏面のプレビュー画像のレイアウトを縦に並べるレイアウトと決定する。
【００７３】
なお、対象用紙に片面印刷が設定されている場合には（ステップＳ１０１でＮＯ）、上記ステップＳ１０３〜Ｓ１０７の処理がスキップされる。
【００７４】
さらに、ＣＰＵ１０１は、対象用紙が原稿が配置されていないカバーシートまたはインターシートであるか否かを判断する（ステップＳ１０９）。その結果、対象用紙がカバーシートでもインターシートでもなく原稿が配置された用紙であった場合（ステップＳ１０９でＮＯ）、ステップＳ１１１でＣＰＵ１０１は、対象用紙の表示として当該用紙に配置された原稿ページに基づくプレビュー画像を表示すると決定して、プレビュー表示を実行する。
【００７５】
一方、対象用紙がカバーシートまたはインターシートであって原稿が配置されていない用紙であった場合（ステップＳ１０９でＹＥＳ）、ステップＳ１１３でＣＰＵ１０１は、対象用紙の表示として予めカバーシートまたはインターシートに応じて設定されているアイコン表示を表示すると決定して、プレビュー表示を実行する。
【００７６】
図１６は、対象用紙外プレビュー領域プレビュー表示処理（Ｓ０２）の流れを表わすフローチャートである。
【００７７】
図１６を参照して、ＣＰＵ１０１は、対象用紙に隣接する用紙が存在するか否かを判断する（ステップＳ２０１）。対象用紙に隣接する用紙が存在する場合（ステップＳ２０１でＹＥＳ）、さらに、対象用紙に隣接する用紙のプレビュー表示を行なう位置に隣接する積み上げ領域４１２が表積み上げ領域４１２Ａであるか裏積み上げ領域４１２Ｂであるかを判断する（ステップＳ２０３）。対象用紙に隣接する用紙が存在しない場合には（ステップＳ２０１でＮＯ）、以降の処理をスキップして当該処理を終了する。
【００７８】
対象用紙に隣接する用紙のプレビュー画像が表積み上げ領域４１２Ａに隣接するプレビュー領域４１１に配置されるものである場合（ステップＳ２０３でＹＥＳ）、ステップＳ２０５でＣＰＵ１０１は、対象用紙に隣接する用紙の表面に配置された原稿に基づいたプレビュー画像を表示すると決定する。
【００７９】
一方、対象用紙に隣接する用紙のプレビュー画像が裏積み上げ領域４１２Ｂに隣接するプレビュー領域４１１に配置されるものである場合には（ステップＳ２０３でＮＯ）、対象用紙に隣接する用紙に両面印刷が設定されている場合には（ステップＳ２０７でＮＯ）、ステップＳ２０９でＣＰＵ１０１は対象用紙に隣接する用紙の裏面に配置された原稿に基づいたプレビュー画像を表示すると決定し、片面印刷が設定されている場合には（ステップＳ２０７でＹＥＳ）、上記ステップＳ２０５と同様に対象用紙に隣接する用紙の表面に配置された原稿に基づいたプレビュー画像を表示すると決定する。
【００８０】
次に、対象用紙に隣接する用紙に折り設定がなされている場合には（ステップＳ２１１でＹＥＳ）、ステップＳ２１３でＣＰＵ１０１は折り形状のプレビュー画像を表示すると決定し、折り設定がなされていない場合には（ステップＳ２１１でＮＯ）、ステップＳ２１５で通常形状のプレビュー画像を表示すると決定する。
【００８１】
そして、対象用紙に隣接する用紙が原稿の配置されていないカバーシートでもインターシートでもなく、原稿が配置された用紙であった場合（ステップＳ２１７でＮＯ）、ステップＳ２１９でＣＰＵ１０１は、対象用紙に隣接する用紙の表示として当該用紙に配置された原稿ページに基づくプレビュー画像を表示すると決定して、プレビュー表示を実行する。
【００８２】
一方、対象用紙に隣接する用紙がカバーシートまたはインターシートであって原稿が配置されていない用紙であった場合（ステップＳ２１７でＹＥＳ）、ステップＳ２２１でＣＰＵ１０１は、対象用紙に隣接する用紙の表示として予めカバーシートまたはインターシートに応じて設定されているアイコン表示を表示すると決定して、プレビュー表示を実行する。
【００８３】
図１７は、積み上げ領域プレビュー表示処理（＃３）の流れを表わすフローチャートである。
【００８４】
図１７を参照して、ＣＰＵ１０１は、対象用紙の２枚隣の用紙を表示用紙として、表示用紙が存在するか否かを判断する（ステップＳ３０１）。表示用紙が存在する場合（ステップＳ３０１でＹＥＳ）、さらに、表示用紙のプレビュー表示を行なう積み上げ領域４１２が表積み上げ領域４１２Ａであるか裏積み上げ領域４１２Ｂであるかを判断する（ステップＳ３０３）。表示用紙が存在しない場合には（ステップＳ３０１でＮＯ）、以降の処理をスキップして当該処理を終了する。
【００８５】
表示用紙のプレビュー画像が表積み上げ領域４１２Ａに配置されるものである場合（ステップＳ３０３でＹＥＳ）、ステップＳ３０５でＣＰＵ１０１は、表示用紙の表面に配置された原稿に基づいたプレビュー画像を表示すると決定する。
【００８６】
一方、表示用紙のプレビュー画像が裏積み上げ領域４１２Ｂに配置されるものである場合には（ステップＳ３０３でＮＯ）、表示用紙に両面印刷が設定されている場合には（ステップＳ３０７でＮＯ）、ステップＳ３０９でＣＰＵ１０１は表示用紙の裏面に配置された原稿に基づいたプレビュー画像を表示すると決定し、片面印刷が設定されている場合には（ステップＳ３０７でＹＥＳ）、上記ステップＳ３０５と同様に表示用紙の表面に配置された原稿に基づいたプレビュー画像を表示すると決定する。
【００８７】
次に、表示用紙に折り設定がなされている場合には（ステップＳ３１１でＹＥＳ）、ステップＳ３１３でＣＰＵ１０１は折り形状のプレビュー画像を表示すると決定し、折り設定がなされていない場合には（ステップＳ３１１でＮＯ）、ステップＳ３１５で通常形状のプレビュー画像を表示すると決定する。
【００８８】
そして、表示用紙が原稿の配置されていないカバーシートでもインターシートでもなく、原稿が配置された用紙であった場合（ステップＳ３１７でＮＯ）、ステップＳ３１９でＣＰＵ１０１は、表示用紙の表示として当該用紙に配置された原稿ページに基づくプレビュー画像を表示すると決定して、ステップＳ３２３で該当する積み上げ領域４１２にすでに表示されている画像に重ねてプレビュー表示を実行する。
【００８９】
一方、表示用紙がカバーシートまたはインターシートであって原稿が配置されていない用紙であった場合（ステップＳ３１７でＹＥＳ）、ステップＳ３２１でＣＰＵ１０１は、表示用紙の表示として予めカバーシートまたはインターシートに応じて設定されているアイコン表示を表示すると決定して、ステップＳ３２３で該当する積み上げ領域４１２にすでに表示されている画像に重ねてプレビュー表示を実行する。
【００９０】
ＣＰＵ１０１は、表示用紙に隣接する用紙を次の表示用紙と特定し、その表示用紙が存在する場合に（ステップＳ３２５でＹＥＳ）、処理を上記ステップＳ３０３に戻して次の表示用紙に対して以降の処理を実行する。次の表示用紙が存在しない場合には（ステップＳ３２５でＮＯ）、一連の処理を終了する。
【００９１】
図１８は、ページ移動処理（＃５）の流れを表わすフローチャートである。
図１８を参照して、ＣＰＵ１０１は、ドラッグの対象が、用紙の片面のプレビュー画像であるか（図１１の例）、用紙の両面とものプレビュー画像であるか（図１２の例）を判断する。
【００９２】
その結果、ドラッグの対象が片面のプレビュー画像であった場合（ステップＳ４０１でＹＥＳ）、ステップＳ４０３でＣＰＵ１０１は、図１１に表わされたような、ドラッグ先の用紙の表面に移動させるのか裏面に移動させるのかの選択肢を表示する。
【００９３】
その選択肢において表面が選択された場合（ステップＳ４０５でＹＥＳ）、ステップＳ４０７でＣＰＵ１０１は、ドラッグの対象の用紙の面に配置された原稿ページを、移動先の用紙の表面に配置されるよう移動させ、以降の用紙に配置されていた原稿ページを、順にずらして配置する。そして、各用紙の面に配置された原稿ページに基づくプレビュー画像を表示する。
【００９４】
裏面が選択された場合には（ステップＳ４０５でＮＯ）、ステップＳ４０９でＣＰＵ１０１は、ドラッグの対象の用紙の面に配置された原稿ページを、移動先の用紙の裏面に配置されるよう移動させ、以降の用紙に配置されていた原稿ページを、順にずらして配置する。そして、各用紙の面に配置された原稿ページに基づくプレビュー画像を表示する。
【００９５】
一方、ドラッグの対象が用紙の両面とものプレビュー画像であった場合（ステップＳ４０１でＮＯ）、ステップＳ４１１でＣＰＵ１０１は、ドラッグの対象の用紙の表面および裏面それぞれに配置されていた原稿ページを移動先の用紙の表面および裏面にそれぞれ配置させるよう移動させ、以降の用紙に配置されていた原稿ページを、順にずらして配置する。そして、各用紙の面に配置された原稿ページに基づくプレビュー画像を表示する。
【００９６】
＜実施の形態の効果＞
ＭＦＰ１においてこのようなプレビュー表示が行なわれることで、複数の原稿ページからなる原稿が複数の用紙にわたって画像形成される場合において、プレビュー表示で原稿ページそれぞれの配置や、用紙を重ねた場合の原稿ページの位置関係などの、全体の構成を容易に把握することができる。
【００９７】
特に上述した例のように用紙の両面それぞれに原稿ページを配置して画像形成を行なう場合には、単にそれぞれのプレビュー画像を表示しただけでは把握し難い用紙間での原稿ページの配置の関係を容易に把握することができる。そのため、印刷ミスを防止することができる。
【００９８】
また、そのプレビュー表示を用いた直感的な操作で原稿ページの配置を変更することができ、変更後をプレビュー表示で確認することができる。
【００９９】
また、折り設定がなされた用紙やサイズの異なる用紙やカバーシートやインターシートなど原稿が配置されていない用紙が含まれている場合であっても、それとわかる表示が全体のプレビュー表示に含まれるため、その位置等を容易に把握することができる。
【０１００】
なお、他の形態として、上述のプレビュー表示のための処理やプレビュー表示上での操作を受け付けて原稿ページの配置を移動させる処理をＭＦＰ１のＣＰＵ１０１に実行させるための制御プログラムを提供することもできる。
【０１０１】
このようなプログラムは、コンピュータに付属するフレキシブルディスク、ＣＤ−ＲＯＭ（Compact Disk-Read Only Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１０２】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１０３】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１０４】
提供されるプログラム製品は、ハードディスクなどのプログラム格納部にインストールされて実行される。なお、プログラム製品は、プログラム自体と、プログラムが記録された記録媒体とを含む。
【０１０５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０６】
１  ＭＦＰ、１０  制御部、１１  入力部、１２  特定部、１３  プレビュー処理部、１４  移動処理部、４１  タッチパネル、４２  操作キー群、１０２  ＲＯＭ、１０３  Ｓ−ＲＡＭ、１０４  ＮＶ−ＲＡＭ、１０５  時計ＩＣ、１１０  固定記憶装置、１１１  設定記憶部、１２１  画像読取装置、１４１  操作パネル、１５１  画像出力装置、１７０  プリンターコントローラー、４１０  画像表示エリア、４１１  プレビュー領域、４１１Ａ  対象用紙プレビュー領域、４１２  積み上げ領域、４１２Ａ  表積み上げ領域、４１２Ｂ  裏積み上げ領域。
【図１】
2013141110.tif 000003
【図２】
2013141110.tif 000004
【図３】
2013141110.tif 000005
【図４】
2013141110.tif 000006
【図５】
2013141110.tif 000007
【図６】
2013141110.tif 000008
【図７】
2013141110.tif 000009
【図８】
2013141110.tif 000010
【図９】
2013141110.tif 000011
【図１０】
2013141110.tif 000012
【図１１】
2013141110.tif 000013
【図１２】
2013141110.tif 000014
【図１３】
2013141110.tif 000015
【図１４】
2013141110.tif 000016
【図１５】
2013141110.tif 000017
【図１６】
2013141110.tif 000018
【図１７】
2013141110.tif 000019
【図１８】
2013141110.tif 000020